(57)【要約】【課題】下位レイヤと上位レイヤのどちらの測定においても効率良く通信ログデータを確認することができる移動端末試験装置を提供すること。【解決手段】移動体通信端末２との間で無線信号を送受信する無線信号処理部１０と、無線信号処理部１０の送受信する無線信号の送受信レベルやスループットなどを測定する無線信号測定部１３と、ユーザからの操作入力を受け付ける入力部１４１と、画像を表示する表示部１４２と、表示部１４２に移動体通信端末２との通信内容のログデータを表示させ、通信内容のログデータの表示形式として、繰り返し信号を表示する形式と、繰り返し信号を非表示とする形式とを有する制御部１５と、を備える。【選択図】図１
2019022062.tif 000002
【特許請求の範囲】
【請求項１】
移動体通信の基地局を擬似して移動体通信端末（２）を試験する移動端末試験装置（１）であって、
画像を表示する表示部（１４２）と、
前記表示部に前記移動体通信端末との通信内容のログデータを表示させる制御部（１５）と、を備え、
前記制御部は、前記通信内容のログデータの表示形式として、繰り返し信号を表示する形式と、繰り返し信号を非表示とする形式とを有する移動端末試験装置。
【請求項２】
ユーザからの操作入力を受け付ける入力部（１４１）を備え、
前記制御部は、前記入力部への操作により、繰り返し信号の表示と非表示を切り替える請求項１に記載の移動端末試験装置。
【請求項３】
前記制御部は、前記入力部への操作により、表示されている繰り返し信号の元の信号に所定の操作が行なわれたことを条件として繰り返し信号の表示と非表示を切り替える請求項２に記載の移動端末試験装置。
【請求項４】
前記制御部は、前記入力部への操作により、表示されている繰り返し信号の元の信号が選択されたことを条件として、繰り返し信号の詳細情報を表示させる請求項２または請求項３に記載の移動端末試験装置。
【請求項５】
移動体通信の基地局を擬似して移動体通信端末（２）を試験する移動端末試験装置（１）の通信ログデータ表示方法であって、
前記移動体通信端末との通信内容のログデータの表示形式の設定を検出するステップと、
前記通信内容のログデータの表示形式の設定が繰り返し信号を表示させる形式に設定されていた場合、繰り返し信号を表示させるステップと、
前記通信内容のログデータの表示形式の設定が繰り返し信号を非表示とする形式に設定されていた場合、繰り返し信号を表示させないステップと、を備える通信ログデータ表示方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
特許文献１には、移動体通信端末との間で送受信した信号の内容をログデータとして記憶し、このログデータに基づいてレイヤ間の通信のログを表示する移動端末試験装置が記載されている。
【先行技術文献】
【特許文献】
【０００４】
【特許文献１】特開２０１４−９６６２３号公報
【発明の概要】
【発明が解決しようとする課題】
【０００５】
無線通信方式のＬＴＥ（Long Term Evolution）の規格では、ＩｏＴ（Internet of Things）に対応する端末のカテゴリとして、Category.MやNB(Narrow Band)-IoTなどが規定されている。
【０００６】
Category.MやNB-IoTといった規格では、低コストの通信チップでも信号を送受信できるように、Physicalレイヤで信号を繰り返し（Repetition）送信する。規格では、Physicalレイヤで同じ信号を最大２０４８回送信する。
【０００７】
このような繰り返し信号の情報を表示させるとき、下位レイヤ（Physicalレイヤ）視点での測定では、繰り返し信号を含めた各信号の詳細な情報が必要になる。一方、上位レイヤ（RLCレイヤ以上）視点での測定では、Physicalレイヤでの繰り返し信号は不要な情報になる。
【０００８】
そこで、本発明は、下位レイヤと上位レイヤのどちらの測定においても効率良く通信ログデータを確認することができる移動端末試験装置を提供することを目的としている。
【課題を解決するための手段】
【０００９】
本発明の移動端末試験装置は、移動体通信の基地局を擬似して移動体通信端末を試験する移動端末試験装置であって、画像を表示する表示部と、前記表示部に前記移動体通信端末との通信内容のログデータを表示させる制御部と、を備え、前記制御部は、前記通信内容のログデータの表示形式として、繰り返し信号を表示する形式と、繰り返し信号を非表示とする形式とを有するものである。
【００１０】
この構成により、移動体通信端末との通信内容のログデータの表示形式として、繰り返し信号を表示する形式と、繰り返し信号を非表示とする形式とを選択できる。このため、下位レイヤと上位レイヤのどちらの測定においても効率良く通信ログデータを確認することができる。
【００１１】
また、本発明の移動端末試験装置において、ユーザからの操作入力を受け付ける入力部を備え、前記制御部は、前記入力部への操作により、繰り返し信号の表示と非表示を切り替えるものである。
【００１２】
この構成により、入力部への操作により繰り返し信号の表示と非表示が切り替えられる。このため、下位レイヤと上位レイヤのどちらの測定においても効率良く通信ログデータを確認することができる。
【００１３】
また、本発明の移動端末試験装置において、前記制御部は、前記入力部への操作により、表示されている繰り返し信号の元の信号に所定の操作が行なわれたことを条件として繰り返し信号の表示と非表示を切り替えるものである。
【００１４】
この構成により、入力部への操作により、表示されている繰り返し信号の元の信号に所定の操作が行なわれると繰り返し信号の表示と非表示が切り替えられる。このため、下位レイヤと上位レイヤのどちらの測定においても効率良く通信ログデータを確認することができる。
【００１５】
また、本発明の移動端末試験装置において、前記制御部は、前記入力部への操作により、表示されている繰り返し信号の元の信号が選択されたことを条件として、繰り返し信号の詳細情報を表示させるものである。
【００１６】
この構成により、入力部への操作により、表示されている繰り返し信号の元の信号が選択されると繰り返し信号の詳細情報が表示される。このため、下位レイヤと上位レイヤのどちらの測定においても効率良く通信ログデータを確認することができる。
【００１７】
また、本発明の移動端末試験装置の通信ログデータ表示方法は、移動体通信の基地局を擬似して移動体通信端末を試験する移動端末試験装置の通信ログデータ表示方法であって、前記移動体通信端末との通信内容のログデータの表示形式の設定を検出するステップと、前記通信内容のログデータの表示形式の設定が繰り返し信号を表示させる形式に設定されていた場合、繰り返し信号を表示させるステップと、前記通信内容のログデータの表示形式の設定が繰り返し信号を非表示とする形式に設定されていた場合、繰り返し信号を表示させないステップと、を備えるものである。
【００１８】
この構成により、移動体通信端末との通信内容のログデータの表示として、繰り返し信号を表示する形式と、繰り返し信号を非表示とする形式とを選択できる。このため、下位レイヤと上位レイヤのどちらの測定においても効率良く通信ログデータを確認することができる。
【発明の効果】
【００１９】
本発明は、下位レイヤと上位レイヤのどちらの測定においても効率良く通信ログデータを確認することができる移動端末試験装置を提供することができる。
【図面の簡単な説明】
【００２０】
【図１】図１は、本発明の一実施形態に係る移動端末試験装置のブロック図である。
【図２】図２は、本発明の一実施形態に係る移動端末試験装置の繰り返し信号を表示した場合の表示例を示す図である。
【図３】図３は、本発明の一実施形態に係る移動端末試験装置の繰り返し信号を非表示とした場合の表示例を示す図である。
【図４】図４は、本発明の一実施形態に係る移動端末試験装置のＰＨＹプリミティブ表示処理の手順を説明するフローチャートである。
【発明を実施するための形態】
【００２１】
以下、図面を参照して、本発明の実施形態に係る移動端末試験装置について詳細に説明する。
【００２２】
図１において、本発明の一実施形態に係る移動端末試験装置１は、擬似基地局として同軸ケーブル等を介して有線で移動体通信端末２と無線信号を送受信するようになっている。移動端末試験装置１は、Category.MやNB-IoTの移動体通信端末２を試験できるようになっている。
【００２３】
移動端末試験装置１は、無線信号処理部１０と、無線ハードウェア制御部１１と、コールプロセッシング部１２と、無線信号測定部１３と、ユーザインターフェース部１４と、制御部１５とを含んで構成されている。
【００２４】
無線信号処理部１０は、移動体通信端末２との間で無線信号を送受信するものである。無線信号処理部１０は、コールプロセッシング部１２の送信データを、符号化や、変調、周波数変換などして無線信号を生成して送信する。また、無線信号処理部１０は、移動体通信端末２から受信した無線信号を、周波数変換や、復調、復号などしてコールプロセッシング部１２及び無線信号測定部１３に出力する。
【００２５】
無線ハードウェア制御部１１は、無線信号処理部１０を制御して、無線信号の送受信レベルや周波数などを制御するものである。
【００２６】
コールプロセッシング部１２は、無線信号処理部１０及び無線ハードウェア制御部１１と接続され、試験条件に応じて設定された周波数や多重化方式などのコンポーネントキャリアのパラメータに従って無線ハードウェア制御部１１に設定信号を送信して、無線信号処理部１０に試験条件に適合した無線信号を送信させる。
【００２７】
コールプロセッシング部１２は、無線信号処理部１０を介して、移動体通信端末２との間で無線信号を送受信して、コンポーネントキャリアとしての試験条件に適合した呼接続を移動体通信端末２との間で行なったり、試験条件に対応したコンポーネントキャリアとしての呼制御を行なったりするものである。
【００２８】
コールプロセッシング部１２は、設定された多重化方式などのパラメータに従って無線信号処理部１０に設定信号を送信して、無線信号処理部１０に試験条件に適合した無線信号を送信させる。
【００２９】
無線信号測定部１３は、無線信号処理部１０と接続され、無線信号処理部１０の送受信する無線信号の送受信レベルやスループットなどを測定し、測定結果を制御部１５に出力するようになっている。制御部１５は、無線信号測定部１３からの測定結果を時刻情報などと関連付けてハードディスク等に記憶しておき、ユーザの要求によりユーザインターフェース部１４に表示出力させたり、測定ログとしてファイルに出力したりするようになっている。
【００３０】
無線信号測定部１３は、無線信号処理部１０の送受信する無線信号の情報を記憶する。制御部１５は、無線信号測定部１３が記憶した無線信号の情報に基づいて移動体通信端末２との間の送受信信号の情報をユーザインターフェース部１４に表示出力させたり、通信ログとしてファイルに出力したりするようになっている。
【００３１】
ユーザインターフェース部１４は、ユーザからの操作入力を受け付ける入力部１４１と、擬似する基地局のパラメータの設定画面や無線信号測定部１３の測定結果などを表示する表示部１４２とを備えている。入力部１４１は、タッチパッドやキーボードやプッシュボタンやマウスなどによって構成される。表示部１４２は、液晶表示装置などによって構成される。
【００３２】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３３】
このコンピュータユニットのＲＯＭ及びハードディスク装置には、各種制御定数や各種マップ等とともに、当該コンピュータユニットを制御部１５として機能させるためのプログラムが記憶されている。すなわち、ＣＰＵがＲＯＭ及びハードディスク装置に記憶されたプログラムを実行することにより、当該コンピュータユニットは、制御部１５として機能する。
【００３４】
制御部１５の入出力ポートには、無線ハードウェア制御部１１、コールプロセッシング部１２、無線信号測定部１３、ユーザインターフェース部１４が接続されている。
【００３５】
なお、本実施形態において、無線ハードウェア制御部１１、コールプロセッシング部１２、無線信号測定部１３は、各処理を実行するようにプログラミングされたＤＳＰ（Digital Signal Processor）等のプロセッサによってそれぞれ構成されている。また、無線信号処理部１０は、通信モジュールによって構成されている。
【００３６】
制御部１５は、表示部１４２に表示させたパラメータ設定画面に従って入力部１４１による入力操作により設定されたパラメータに基づいて、無線ハードウェア制御部１１に設定信号を送信して無線信号処理部１０が送受信する無線信号の周波数や多重化方式を制御して、無線信号測定部１３に測定を行なわせる。また、制御部１５は、設定されたパラメータをコールプロセッシング部１２に通知して、設定されたパラメータに適合した通信を確立させる。
【００３７】
また、制御部１５は、入力部１４１に入力された指示に従って、無線ハードウェア制御部１１及びコールプロセッシング部１２に信号を送信して、試験用の呼制御などを行なわせるようになっている。
【００３８】
このような構成の移動端末試験装置１において、移動体通信端末２との間の通信は、ＬＴＥの規格に従ったプロトコルで処理される。このプロトコルは、複数のレイヤによる階層構造からなり、各レイヤで決められた処理を行ない移動体通信端末２との通信を実現する。
【００３９】
このレイヤ構成は、下位層から上位層に向かって順に、ＰＨＹ（PHYsical layer）、ＭＡＣ（Media Access Control layer）、ＲＬＣ（Radio Link Control layer）、ＰＤＣＰ（Packet Data Convergence Protocol layer）からなる。ＰＤＣＰの上位には、試験を制御するＴＥ（Test Equipment）としてのコールプロセッシング部１２が位置し、移動体通信端末２との間で情報を送受信して試験を行なうようになっている。
【００４０】
各レイヤの処理は、各レイヤのプロトコルスタックにより実行される。各レイヤのプロトコルスタックは、直上、直下のプロトコルスタックとの間でprimitiveにより情報の送受信を行なう。ＴＥが移動体通信端末２に送信する信号は、ＰＤＣＰ、ＲＬＣ、ＭＡＣ、ＰＨＹの順にprimitiveが送信されて、移動体通信端末２に送信される、移動体通信端末２から受信した信号は、ＰＨＹ、ＭＡＣ、ＲＬＣ、ＰＤＣＰの順にprimitiveが送信されて、ＴＥが受信する。
【００４１】
移動端末試験装置１は、各レイヤのプロトコルスタック間で送受信されたprimitiveをログデータとして記憶したり、表示部１４２に表示したりできるようになっている。
【００４２】
このとき、移動端末試験装置１は、Category.MやNB-IoTの移動体通信端末２との間で実行される、ＰＨＹレイヤでの繰り返し信号の表示を切り替えることができるようになっている。
【００４３】
無線信号処理部１０は、各レイヤのプロトコルスタックとしての処理を行ない、コールプロセッシング部１２と移動体通信端末２との間の通信を実現している。
【００４４】
無線信号処理部１０は、各レイヤのプロトコルスタック間で送受信されたprimitiveの情報を無線信号測定部１３に送信するようになっている。無線信号測定部１３は、無線信号処理部１０から受信したprimitiveの情報を記憶する。無線信号測定部１３は、制御部１５からの要求により、無線信号処理部１０から受信した、または記憶しているprimitiveの情報を制御部１５に送信する。
【００４５】
制御部１５は、入力部１４１の操作により通信内容のログデータの表示が選択されると、無線信号測定部１３にprimitiveの情報を要求する。
【００４６】
制御部１５は、無線信号測定部１３から受信したprimitiveの情報を、例えば、図２に示すように表示部１４２に表示させる。
【００４７】
図２において、「primitive」の列には、レイヤ間で送受信されたprimitiveの種別が表示される。「ＰＨＹ」、「ＭＡＣ」、「ＲＬＣ」、「ＰＤＣＰ」の各列には、「primitive」欄に表示されているprimitiveの送信方向が表示される。「ＰＨＹ」、「ＭＡＣ」、「ＲＬＣ」、「ＰＤＣＰ」の各列に表示されている左向きの矢印は、上位レイヤから受信したprimitiveを示し、右向きの矢印は、上位レイヤに送信したprimitiveを示している。
【００４８】
図２に示した表示は、Repetition表示がオンの場合の表示である。Repetition表示がオンの場合、図中Ａで示す「LTE_PHY_DATA_REQ」と同一の信号が繰り返し送信される「LTE_PHY_REPETITION_DATA_REQ」も表示される。また、図中Ｂで示す「LTE_PHY_DATA_IND」と同一の信号が繰り返し受信された「LTE_PHY_REPETITION_DATA_IND」も表示される。
【００４９】
制御部１５は、例えば、入力部１４１の操作によりRepetition表示がオフにされると、図３に示すように表示を変更する。
【００５０】
図３の表示では、繰り返し信号の「LTE_PHY_REPETITION_DATA_REQ」や「LTE_PHY_REPETITION_DATA_IND」が表示されなくなる。
【００５１】
制御部１５は、例えば、図２において、入力部１４１の操作により図中ＡまたはＢの行がダブルクリックされたとき、繰り返し信号の表示または非表示を切り替えるようにしてもよい。
【００５２】
図３において、例えば、入力部１４１の操作により図中Ｃのような繰り返し信号を含む「LTE_PHY_DATA_REQ」や「LTE_PHY_DATA_IND」が選択されると、詳細表示部１０１に繰り返し回数や、平均パワー、最初の繰り返し信号の時間、最後の繰り返し信号の時間などが表示される。
【００５３】
図３において、「Repetition回数」には、繰り返し信号の繰り返し回数を表示する。「Ave Power」には、繰り返し信号の平均パワーが表示される。「First repetition time」には、最初の繰り返し信号の時間として、ＳＦＮ（System Frame Number）とサブフレーム番号の値が、カッコ内に左からＳＦＮ、サブフレーム番号の順で表示される。「End repetition time」には、最後の繰り返し信号の時間として、ＳＦＮとサブフレーム番号の値が、カッコ内に左からＳＦＮ、サブフレーム番号の順で表示される。
【００５４】
なお、図２において、例えば、入力部１４１の操作により図中ＡまたはＢのような繰り返し信号の元の信号である「LTE_PHY_DATA_REQ」や「LTE_PHY_DATA_IND」が選択された場合にも、図３の詳細表示部１０１と同様に繰り返し回数や、平均パワー、最初の繰り返し信号の時間、最後の繰り返し信号の時間などが表示されるようにしてもよい。
【００５５】
以上のように構成された本実施形態に係る移動端末試験装置１によるＰＨＹプリミティブ表示処理について、図４を参照して説明する。なお、以下に説明するＰＨＹプリミティブ表示処理は、通信内容のログデータの表示時にＰＨＹレイヤのprimitiveの表示処理時に実行される。
【００５６】
ステップＳ１において、制御部１５は、Repetition表示がオンであるか否かを判定する。Repetition表示がオンでないと判定した場合、ステップＳ２において、制御部１５は、primitiveの種別が、LTE_PHY_DATA_REQまたはLTE_PHY_DATA_INDであるか否かを判定する。primitiveの種別が、LTE_PHY_DATA_REQまたはLTE_PHY_DATA_INDでないと判定した場合、制御部１５は、処理を終了する。
【００５７】
ステップＳ１においてRepetition表示がオンであると判定した場合、または、ステップＳ２において、primitiveの種別が、LTE_PHY_DATA_REQまたはLTE_PHY_DATA_INDであると判定した場合、ステップＳ３において、制御部１５は、対象の信号を表示させて、処理を終了する。
【００５８】
このように、上述の実施形態では、通信内容のログデータの表示形式として、繰り返し信号を表示する形式と、繰り返し信号を非表示とする形式とを有する制御部１５を備える。
【００５９】
これにより、下位レイヤ視点での測定では、繰り返し信号を含めた各信号の詳細な情報を表示させ、上位レイヤ視点での測定では、繰り返し信号を非表示にさせることができ、下位レイヤと上位レイヤのどちらの測定においても効率良く通信ログデータを表示することができる。
【００６０】
また、制御部１５は、入力部１４１の操作により、表示されている繰り返し信号の元の信号がダブルクリックされたとき、繰り返し信号の表示または非表示を切り替える。
【００６１】
これにより、表示されている繰り返し信号の元の信号のダブルクリックにより繰り返し信号の表示または非表示が切り替えられ、効率良く通信ログデータを表示することができる。
【００６２】
また、制御部１５は、入力部１４１への操作により、表示されている繰り返し信号の元の信号が選択された場合、繰り返し信号の詳細情報を表示させる。
【００６３】
これにより、繰り返し信号の元の信号が選択されると、繰り返し信号の詳細情報が表示され、効率良く通信ログデータを表示することができる。
【００６４】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６５】
１  移動端末試験装置
２  移動体通信端末
１０  無線信号処理部
１３  無線信号測定部
１４  ユーザインターフェース部
１５  制御部
１０１  詳細表示部
１４１  入力部
１４２  表示部
【図１】
2019022062.tif 000003
【図２】
2019022062.tif 000004
【図３】
2019022062.tif 000005
【図４】
2019022062.tif 000006